(57)【要約】【課題】運用上の信号処理を継続しながら、信号処理装置の動作試験をより正確に行うことである。【解決手段】実施形態の信号処理装置は、複数のチャネルと、複数の動作監視部と、分配器と、複数の混合部とを持つ。複数のチャネルは、それぞれが、アナログ信号をデジタル信号に変換するＡＤ変換部と、デジタル信号を直交復調する第１直交復調部とを有する。複数の動作監視部は、デジタル信号に基づいてチャネルごとの動作を監視する。分配器は、チャネルおよび動作監視部が動作する基準となるクロック信号と、信号を出力する基準となる基準タイミング信号とを出力するとともに、動作監視部で処理される信号に対応する周波数に前記クロック信号を分周した分周信号を生成する。複数の混合部は、前記分配器と前記複数のＡＤ変換部のそれぞれとの間に介在し、前記分配器により生成された前記分周信号と前記アナログ信号とを混合して前記ＡＤ変換部に出力する。【選択図】図１
2019041218.tif 000002
【特許請求の範囲】
【請求項１】
それぞれが、アナログ信号をデジタル信号に変換するＡＤ変換部と、前記ＡＤ変換部により出力されたデジタル信号を直交復調する第１直交復調部とを有する複数のチャネルと、
前記ＡＤ変換部により出力されたデジタル信号に基づいて、前記複数のチャネルごとの動作を監視する複数の動作監視部と、
前記複数のチャネルおよび前記複数の動作監視部が動作する基準となるクロック信号と、前記複数のチャネルおよび前記複数の動作監視部から信号を出力する基準となる基準タイミング信号とを、前記複数のチャネルおよび前記複数の動作監視部に出力するとともに、前記複数の動作監視部で処理される信号に対応する周波数に前記クロック信号を分周した分周信号を生成する分配器と、
前記分配器と前記複数のＡＤ変換部のそれぞれとの間に介在し、前記分配器により生成された前記分周信号と前記アナログ信号とを混合して前記ＡＤ変換部に出力する複数の混合部と、
を備える信号処理装置。
【請求項２】
前記分配器は、前記分周信号の中心周波数を、前記分周信号の全体が、前記分周信号と前記アナログ信号とを混合した信号に影響を与えない周波数となるように設定する、
請求項１に記載の信号処理装置。
【請求項３】
前記混合部は、前記分周信号を減衰させる減衰器を更に備え、
前記減衰器により減衰した分周信号と、前記アナログ信号とを混合する、
請求項１または２に記載の信号処理装置。
【請求項４】
前記動作監視部は、
前記前記ＡＤ変換部により変換されたデジタル信号を前記分周信号に基づいて直交復調してＩ信号およびＱ信号を出力する第２直交復調部と、
前記第２直交復調部により出力されるＩ信号およびＱ信号の直交の位相角を算出する複数の位相角算出部と、
前記複数の位相角算出部により算出された位相角に基づいて、前記複数のチャネルのそれぞれの動作判定を行う動作判定部と、
を備える請求項１から３のうち何れか１項に記載の信号処理装置。
【請求項５】
前記動作判定部は、前記位相角算出部により算出された位相角と、所定角との差が閾値以内である場合に、動作判定対象のチャネルが正常に動作していると判定し、前記位相角と前記所定角との差が閾値を超える場合に、動作判定対象のチャネルが異常であると判定する、
請求項４に記載の信号処理装置。
【発明の詳細な説明】
【技術分野】
【０００１】
本発明の実施形態は、信号処理装置に関する。
【背景技術】
【０００２】
アレイアンテナ装置の複数のアンテナ素子により出力されたそれぞれの受信信号に基づいて受信ビームを形成する信号処理装置が知られている。このような信号処理装置の動作試験を行う場合には、例えば、試験信号を分配器で分配し、分配された信号をそれぞれの信号処理装置に供給し、それぞれの信号処理装置から出力される信号が一致している場合に、それぞれの信号処理装置が正常に動作していると判定することが行われる。しかしながら、アレイアンテナ装置のアンテナ素子数が増えるほど、分配器による分配数が多くなるため、試験信号間にずれが生じたり、そのずれを監視することが困難な場合があった。また、信号処理装置の動作試験を行う場合には、運用上の信号処理を停止させる必要があった。
【先行技術文献】
【特許文献】
【０００３】
【特許文献１】特開２０１３−２４２１５１号公報
【発明の概要】
【発明が解決しようとする課題】
【０００４】
本発明が解決しようとする課題は、運用上の信号処理を継続しながら、信号処理装置の動作試験をより正確に行うことができる信号処理装置を提供することである。
【課題を解決するための手段】
【０００５】
実施形態の信号処理装置は、複数のチャネルと、複数の動作監視部と、分配器と、複数の混合部とを持つ。複数のチャネルは、それぞれが、アナログ信号をデジタル信号に変換するＡＤ変換部と、前記ＡＤ変換部により出力されたデジタル信号を直交復調する第１直交復調部とを有する。複数の動作監視部は、前記ＡＤ変換部により出力されたデジタル信号に基づいて、前記複数のチャネルごとの動作を監視する。分配器は、前記複数のチャネルおよび前記複数の動作監視部が動作する基準となるクロック信号と、前記複数のチャネルおよび前記複数の動作監視部から信号を出力する基準となる基準タイミング信号とを、前記複数のチャネルおよび前記複数の動作監視部に出力するとともに、前記複数の動作監視部で処理される信号に対応する周波数に前記クロック信号を分周した分周信号を生成する。複数の混合部は、前記分配器と前記複数のＡＤ変換部のそれぞれとの間に介在し、前記分配器により生成された前記分周信号と前記アナログ信号とを混合して前記ＡＤ変換部に出力する。
【図面の簡単な説明】
【０００６】
【図１】実施形態の信号処理装置１００を含むＤＢＦ信号処理システム１の構成図。
【図２】メイン処理部１４０で処理される信号の周波数帯域と、動作監視部１５０で処理される信号の周波数帯域とについて説明するための図。
【図３】アナログ信号と試験信号の出力レベルについて説明するための図。
【発明を実施するための形態】
【０００７】
以下、実施形態の信号処理装置を、図面を参照して説明する。
【０００８】
図１は、実施形態の信号処理装置１００を含むＤＢＦ（Digital Beam Forming）信号処理システム１の構成図である。ＤＢＦ信号処理システム１は、例えば、複数のアンテナ素子１０−１〜１０−ｎ（１＞ｎ）と、複数の前段信号処理部２０−１〜２０−ｎと、基準タイミング信号生成部３０と、分配器４０と、信号処理装置１００と、ビーム合成部５０とを備える。以下の説明では、複数のアンテナ素子１０−１〜１０−ｎは、それぞれ同様の構成とし、何れのアンテナ素子であるか区別しないときは、何れのアンテナ素子であるかを示すハイフン以降の符号を省略し、「アンテナ素子１０」と称して説明する。また、ハイフンを用いて説明する他の構成についても同様とする。また、ＤＢＦ信号処理システム１における前段信号処理部２０およびチャネルｃｈの数は、アンテナ素子１０の数に対応付けられている。
【０００９】
アンテナ素子１０は、空間から到来する電波を受信して受信信号を生成する。また、アンテナ素子１０は、生成した受信信号を前段信号処理部２０に供給する。受信信号は、例えば、アナログ信号である。
【００１０】
前段信号処理部２０は、例えば、リミッタ、帯域通過フィルタ、増幅器、移相器等の信号処理回路を備える。リミッタは、アンテナ素子１０から入力された受信信号の信号レベルを制限する。帯域通過フィルタは、受信信号に含まれる不要な信号成分を抑圧する。増幅器は、受信用帯域通過フィルタを通過した受信信号の振幅を増幅する。移相器は、受信信号の位相を所望の位相に変化させる。移相器の移相は、アンテナ素子１０ごとに設定されている。前段信号処理部２０は、信号処理されたアナログ信号を信号処理装置１００に出力する。
【００１１】
基準タイミング信号生成部３０は、クロック信号ＣＬＫおよび基準タイミング信号ＳＹＳＲＥＦを生成する。クロック信号ＣＬＫは、信号処理装置１００の複数のチャネルｃｈのそれぞれが動作する基準となるタイミング信号である。基準タイミング信号ＳＹＳＲＥＦは、例えば、複数のチャネルｃｈが同期した信号を出力するための基準となる情報である。基準タイミング信号生成部３０は、生成したクロック信号ＣＬＫおよび基準タイミング信号ＳＹＳＲＥＦを分配器４０に出力する。
【００１２】
分配器４０は、アンテナ素子１０の数に応じて基準タイミング信号生成部３０から入力されるクロック信号ＣＬＫおよび基準タイミング信号ＳＹＳＲＥＦを、分配器４０に接続される信号処理装置１００が備える複数のチャネルｃｈに出力する。ここで、分配器４０は、ビーム合成部５０によりビームを合成する元となる信号を受信するアンテナ素子１０の数に応じて多段に接続することができる。これにより、分配器４０の分配数や信号処理装置１００のチャネル数に制限がある場合であっても、アンテナ素子１０の数に応じて信号を分配することができる。また、ＤＢＦ信号処理システム１には、アンテナの数に応じて１以上の信号処理装置を備える。そのため、分配器４０は、それぞれの信号処理装置１００に対してクロック信号ＣＬＫおよび基準タイミング信号ＳＹＳＲＥＦを出力する。図中の「信号処理装置１００」と「他の信号処理装置」とは、それぞれ同様の構成である。
【００１３】
信号処理装置１００は、分配器４０から入力されたクロック信号ＣＬＫおよび基準タイミング信号ＳＹＳＲＥＦに基づいて、複数のチャネルｃｈ−１〜ｃｈ−ｎごとに、それぞれの前段信号処理部２０から入力されたアナログ信号をデジタル信号に変換する。また、信号処理装置１００は、変換されたデジタル信号を直交復調して、Ｉ（In-phase）信号およびＩ信号に対して９０度位相をシフトしたＱ（Quadrature-phase）信号を生成し、生成したＩ信号およびＱ信号をビーム合成部５０に出力する。上述した処理が、信号処理装置１００の運用上の信号処理の一例である。また、信号処理装置１００は、運用上の処理を継続しながら、分配器４０から入力されたクロック信号ＣＬＫおよび基準タイミング信号ＳＹＳＲＥＦに基づく試験信号を生成し、生成した試験信号に基づいてチャネルｃｈごとの動作監視を行う。動作監視とは、例えば、試験信号を用いた動作試験によって同期や振幅等の動作確認を行うことである。信号処理装置１００の機能の詳細については、後述する。
【００１４】
ビーム合成部５０は、信号処理装置１００の複数のチャネルｃｈや、他の信号処理装置の複数のチャネルから出力されるＩ信号およびＱ信号に基づいてビームを形成し、形成したビームを合成する。また、ビーム合成部５０は、合成したビームをアンテナ素子１０から得られる受信ビームとして出力する。
【００１５】
次に、上述した信号処理装置１００の機能の詳細について説明する。信号処理装置１００は、例えば、分配器１１０と、複数の混合部１２０−１〜１２０−ｎと、複数のＡＤ変換部１３０−１〜１３０−ｎと、複数のメイン処理部１４０−１〜１４０−ｎと、複数の動作監視部１５０−１〜１５０−ｎとを備える。これらの構成要素は、例えば、ＣＰＵ（Central Processing Unit）等のハードウェアプロセッサがプログラム（ソフトウェア）を実行することにより実現される。また、これらの構成要素の一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェア（回路部；circuitryを含む）によって実現されてもよいし、ソフトウェアとハードウェアの協働によって実現されてもよい。また、これらの構成要素は、一つのプロセッサにより実現されてもよいし、複数のプロセッサにより実現されてもよい。また、一つのＡＤ変換部１３０と、一つのメイン処理部１４０とを組み合わせたものが一つのチャネルｃｈを構成する。
【００１６】
分配器１１０は、基準タイミング信号生成部３０から分配器４０を介して入力されるクロック信号ＣＬＫおよび基準タイミング信号ＳＹＳＲＥＦを、分配器１１０に接続される信号処理装置１００が備える複数のチャネルｃｈ１〜ｃｈｎに分配する。
【００１７】
また、分配器１１０は、動作監視部１５０に入力する試験信号を生成する。この場合、分配器１１０は、動作監視部１５０で処理される信号に対応する周波数にクロック信号ＣＬＫを分周した分周信号を試験信号として生成する。また、分配器１１０は、例えば、試験信号の中心周波数を、前段信号処理部２０から出力されるアナログ信号と試験信号とを混合した信号に影響を与えない周波数となるように設定する。影響を与えないとは、例えば、アナログ信号と試験信号とが混合時に干渉しないことである。
【００１８】
例えば、前段信号処理部２０から出力されるアナログ信号の中心周波数がクロック信号ＣＬＫの周波数の１／４倍の周波数であると仮定した場合、分配器１１０は、クロック信号ＣＬＫの周波数を１６分周した分周信号（ＣＬＫ／１６［Ｈｚ］）を試験信号として生成する。また、このときの試験信号の帯域幅は、前段信号処理部２０から出力されるアナログ信号の周波数帯域と重ならないような帯域幅である。例えば、分配器１１０は、前段信号処理部２０から出力されるアナログ信号を取得して、中心周波数や帯域幅に関する情報を取得してもよい。また、分配器１１０は、信号処理装置１００の管理者等により予め設定された分周比で分周した試験信号を生成してもよい。
【００１９】
図２は、メイン処理部１４０で処理される信号の周波数帯域と、動作監視部１５０で処理される信号の周波数帯域とについて説明するための図である。図２の横軸は信号の周波数ｆ［Ｈｚ］を示し、縦軸は出力レベル［ｄＢ］を示している。また、図２には、メイン処理部１４０の第１直交復調部１４２のフィルタ周波数特性２００ｆと、動作監視部１５０の第２直交復調部１５２のフィルタ周波数特性２０２ｆとを示している。このように、実施形態では、それぞれの処理対象の信号の周波数帯域が互いに干渉しないように調整することで、メイン処理部１４０による運用上の信号処理を継続しながら、動作監視部１５０による動作監視処理を実行することができる。
【００２０】
また、分配器１１０は、分周信号（ＣＬＫ／１６［Ｈｚ］）を試験信号とすることで、クロック信号ＣＬＫおよび基準タイミング信号ＳＹＳＲＥＦと、試験信号とを同期させることができる。また、分周信号（ＣＬＫ／１６［Ｈｚ］）を試験信号とすることで、混合部１２０により前段信号処理部２０から出力されるアナログ信号（ＣＬＫ／４）と試験信号とを混合した場合でも、お互いの信号が干渉することなく、お互いの信号に影響を与えない。また、分周信号（ＣＬＫ／１６）を試験信号とすることで、ノイズ除去等のフィルタリング処理が容易となり、直交復調の特性に適した信号処理を行うことができる。また、分配器１１０は、クロック信号ＣＬＫの周波数を８分周した分周信号（ＣＬＫ／８［Ｈｚ］）を試験信号として生成してもよく、クロック信号ＣＬＫの周波数を３２分周した分周信号（ＣＬＫ／３２［Ｈｚ］）を試験信号として生成してもよい。
【００２１】
混合部１２０は、分配器１１０と、信号処理装置１００の複数のチャネルｃｈ１〜ｃｈｎとの間に介在する。混合部１２０は、分配器１１０から出力された試験信号と、前段信号処理部２０により発生されたアナログ信号とを混合し、混合信号を信号処理装置１００の複数のチャネルに出力する。
【００２２】
混合部１２０は、例えば、フィルタ部１２２と、減衰器１２４と、信号混合部１２６とを備える。フィルタ部１２２は、分配器１１０から出力される試験信号の高調波成分を抑制するために所定の周波数帯域を通過させる。フィルタ部１２２は、例えば、ＢＰＦ（Band Pass Filter）またはＬＰＦ（Low Pass Filter）である。これにより、フィルタ部１２２に入力される試験信号の方形波は、正弦波としてフィルタ部１２２から出力される。
【００２３】
減衰器１２４は、フィルタ部１２２により出力された試験信号の出力レベルを減衰させる。図３は、アナログ信号と試験信号の出力レベルについて説明するための図である。図３の横軸は、信号の周波数ｆ［Ｈｚ］を示し、縦軸は出力レベル［ｄＢ］を示している。例えば、減衰器１２４は、前段信号処理部２０により出力されたアナログ信号の出力レベルＬ１よりも低い出力レベルＬ２になるように試験信号の出力レベルを減衰させる。また、減衰器１２４は、試験信号の出力レベルＬ２を、予め設定された閾値以下にするように減衰させてもよい。これにより、メイン処理部１４０において混合信号から試験信号をフィルタリングし易くすることができるとともに、試験信号によるノイズを抑制することができる。また、減衰器１２４により試験信号の出力レベルを調整することで、出力レベルのばらつきを抑制することができる。
【００２４】
信号混合部１２６は、減衰器１２４により出力された信号と、前段信号処理部２０により出力されたアナログ信号とを混合し、混合信号をチャネルｃｈのＡＤ変換部１３０に出力する。
【００２５】
ＡＤ変換部１３０は、信号混合部１２６により出力された混合信号をデジタル信号に変換し、変換されたデジタル信号Ｘ（ｎ）をメイン処理部１４０および動作監視部１５０に出力する。
【００２６】
メイン処理部１４０は、例えば、第１直交復調部１４２を備える。第１直交復調部１４２は、ＡＤ変換部１３０によりＡＤ変換されたデジタル信号Ｘ（ｎ）からＩ信号およびＱ信号を生成する。第１直交復調部１４２は、例えば、ＮＣＯ（Numerical Controlled Oscillator）、乗算器（Mixer）、およびＬＰＦ（Low Pass Filter）を含むＤＤＣ（Digital Down Converter）である。
【００２７】
ここで、第１直交復調部１４２の具体的な処理について説明する。例えば、デジタル信号Ｘ（ｎ）は、９０度位相をシフトした直交成分の和として、「Ｘ（ｎ）＝ＸＩ（ｎ）ｃｏｓωｎ＋ｊＸＱ（ｎ）ｓｉｎωｎ」で表すことができる。ＸＩ（ｎ）、ＸＱ（ｎ）は、それぞれ入力信号のＩ成分、Ｑ成分を表し、ωｎは、信号の搬送波角周波数を表す。この場合、第１直交復調部１４２の乗算器は、デジタル信号Ｘ（ｎ）に複素位相（ｃｏｓωｎ−ｊｓｉｎωｎ）を乗算して、Ｘ（ｎ）を所望の周波数帯に変換する。このとき、第１直交復調部１４２のＮＣＯは、ｃｏｓωｎ＝｛１，０，−１，０｝、ｓｉｎωｎ＝｛０，１，０，−１｝とする数値制御信号を、例えばサンプリング周波数を１／４倍した周波数（ｆｓ／４）で発振する。この周波数は、例えば、クロック信号ＣＬＫの１／４倍に相当する（ＣＬＫ／４）。これにより、デジタル信号Ｘ（ｎ）を直交位相で表現することができ、Ｉ成分およびＱ成分の信号（すなわち、Ｉ信号およびＱ信号）を生成することができる。更に、第１直交復調部１４２は、Ｉ信号およびＱ信号に対して、ＬＰＦによる帯域制限（フィルタ特性）によりＣＬＫ／１６の周波数成分を取り除く。これにより、ＡＤ変換部１３０から入力された混合信号のうち、試験信号が抑圧され、前段信号処理部２０により出力された信号を抽出し、抽出した信号に対するＩ信号およびＱ信号を出力することができる。第１直交復調部１４２は、生成したＩ信号およびＱ信号をビーム合成部５０に出力する。
【００２８】
動作監視部１５０は、例えば、第２直交復調部１５２と、位相角算出部１５４と、動作判定部１５６とを備える。第２直交復調部１５２は、例えば、ＮＣＯ、乗算器、およびＬＰＦを含むＤＤＣである。第２直交復調部１５２のＮＣＯは、ｃｏｓωｎ＝｛１，０，−１，０｝、ｓｉｎωｎ＝｛０，１，０，−１｝とする数値制御信号を、例えばサンプリング周波数を１／１６倍した周波数（ｆｓ／１６）で発振する。この周波数は、例えば、クロック信号ＣＬＫの１／１６倍に相当する（ＣＬＫ／１６［Ｈｚ］）。これにより、デジタル信号Ｘ（ｎ）を直交位相で表現することができ、Ｉ信号およびＱ信号を生成することができる。更に、第２直交復調部１５２は、Ｉ信号およびＱ信号に対して、ＬＰＦによる帯域制限によりＣＬＫ／４の周波数成分を取り除く。これにより、ＡＤ変換部１３０から入力された混合信号のうち、前段信号処理部２０により出力された信号が抑圧され、抽出した試験信号に対するＩ信号およびＱ信号を出力することができる。
【００２９】
位相角算出部１５４は、第２直交復調部１５２により出力されたＩ信号およびＱ信号の位相角を算出する。
【００３０】
動作判定部１５６は、位相角算出部１５４により算出された位相角に基づいて、チャネルｃｈの動作を判定する。例えば、試験信号をＣＬＫ／１６［Ｈｚ］の分周信号で生成し、ＮＣＯの数値制御のタイミングをＣＬＫ／１６［Ｈｚ］としているため、第２直交復調部１５２による直交復調後のＩＱ信号は、ＮＣＯ（原点０度）に対するずれの角度（いわゆる位相角）を表すことになる。したがって、動作判定部１５６は、位相角算出部１５４により算出された位相角に対して所定角との減算処理を行い、減算した結果（角度差）が予め設定された角度付近であれば、動作判定対象のチャネルｃｈが正常な動作をしていると判定する。予め設定された角度付近とは、例えば、予め設定された角度を基準にして±１０度程度の閾値以内の範囲である。また、動作判定部１５６は、減算した結果が予め設定された角度が閾値を超える場合には、動作判定対象のチャネルｃｈは異常な動作をしていると判定する。また、動作判定部１５６は、異常と判定されたチャネルｃｈに関連する機器（例えば、アンテナ素子１０、前段信号処理部２０等）が異常な動作をしていると判定してもよい。
【００３１】
なお、動作判定部１５６は、例えば、信号処理装置１００に設けられた記憶部（不図示）に判定結果を記憶する。また、動作判定部１５６は、信号処理装置１００に設けられた通信部（不図示）から外部装置に判定結果を送信してもよい。
【００３２】
また、信号処理装置１００は、動作判定部１５６の数に応じたＬＥＤ（Light Emitting Diode）等の発光素子（不図示）を備えてもよい。この場合、動作判定部１５６は、動作が異常であると判定したチャネルに対応する発光素子を発光させる。これにより、信号処理装置１００の管理者等にチャネルｃｈの異常と、異常と判定された箇所を容易に視認させることができる。
【００３３】
以上説明した少なくとも一つの実施形態によれば、それぞれが、アナログ信号をデジタル信号に変換するＡＤ変換部１３０と、ＡＤ変換部１３０により出力されたデジタル信号を直交復調する第１直交復調部１４２とを有する複数のチャネルｃｈと、ＡＤ変換部１３０により出力されたデジタル信号に基づいて、複数のチャネルｃｈごとの動作を監視する複数の動作監視部１５０と、複数のチャネルｃｈおよび複数の動作監視部１５０が動作する基準となるクロック信号ＣＬＫと、複数のチャネルｃｈおよび複数の動作監視部１５０から信号を出力する基準となる基準タイミング信号ＳＹＳＲＥＦとを、複数のチャネルｃｈおよび複数の動作監視部１５０に出力するとともに、複数の動作監視部１５０で処理される信号に対応する周波数にクロック信号ＣＬＫを分周した分周信号（試験信号）を生成する分配器１１０と、分配器１１０と複数のＡＤ変換部１３０のそれぞれとの間に介在し、分配器１１０により生成された分周信号とアナログ信号とを混合してＡＤ変換部１３０に出力する複数の混合部１２０と、を持つことにより、運用上の信号処理を継続しながら、信号処理装置の動作試験をより正確に行うことができる。
【００３４】
また、少なくとも一つの実施形態によれば、信号処理装置１００内でクロック信号ＣＬＫおよび基準タイミング信号ＳＹＳＲＥＦに同期した試験信号を生成し、その試験信号の全体は、第１直交復調部１４２で処理する信号に影響を与えないようにすることで、第１直交復調部１４２での信号処理を継続しながら、動作監視部１５０による動作試験を行うことができる。また、少なくとも一つの実施形態によれば、動作監視部１５０は、運用時における信号処理装置１００の正常または異常を判定することができる。また、少なくとも一つの実施形態によれば、複数のチャネルｃｈごとに正常または異常を判定することができるため、異常時の故障探求がしやすくなる。
【００３５】
なお、本出願人は、上述した実施形態に基づく信号処理装置１００を実施し、各チャネルにおける動作のずれを効率的に判定することが確認できた。また、本出願人は、信号処理装置１００における第１直交復調部１４２のＮＣＯを６１２．７９［ＭＨｚ］とし、第２直交復調部１５２のＮＣＯを８７６．４６４８［ＭＨｚ］として、周波数が６００［ＭＨｚ］と８８０［ＭＨｚ］の二つの信号を混合した混合信号を用いてそれぞれの直交復調部からの出力をシミュレーションした。その結果、周波数が６００［ＭＨｚ］の信号について、第１直交復調部１４２の出力は規定通りの出力となり、第２直交復調部１５２の出力はフィルタで抑圧されてほぼ０となった。また、周波数が８８０［ＭＨｚ］の信号については、第１直交復調部１４２の出力はフィルタで抑圧されてほぼ０となり、第２直交復調部１５２の出力は規定通りの出力となった。
【００３６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３７】
１…ＤＢＦ信号処理システム、１０…アンテナ素子、２０…前段信号処理部、３０…基準タイミング信号生成部、４０、１１０…分配器、５０…ビーム合成部、１００…信号処理装置、１２０…混合部、１３０…ＡＤ変換部、１４０…メイン処理部、１４２…第１直交復調部、１５０…動作監視部、１５２…第２直交復調部、１５４…位相角算出部、１５６…動作判定部、ｃｈ…チャネル
【図１】
2019041218.tif 000003
【図２】
2019041218.tif 000004
【図３】
2019041218.tif 000005